(57)【特許請求の範囲】
【請求項１】
除染対象配管に除染廃液の吸引部とこの吸引部内に挿入された除染液の注入部の二重管構造を有する除染用治具を取り付け、前記除染液を収納した除染液タンクから前記除染液を前記除染液の注入部を通して前記除染対象配管内に注入し、この注入された除染液により前記除染対象配管内を除染した後の除染廃液を前記除染廃液の吸引部から流出させることを特徴とする系統配管内の化学除染方法。
【請求項２】
除染対象配管に取り付けられた除染廃液の吸引部とこの吸引部内に挿入された除染液の注入部の二重管構造を有する除染用治具と、前記除染液の注入部に循環配管およびポンプを介して接続された除染液タンクと、この除染液タンクと前記除染廃液の吸引部との間に流出配管を介して接続されたフィルタまたはイオン交換樹脂とを具備したことを特徴とする系統配管内の化学除染装置。
【請求項３】
前記除染用治具は前記除染対象配管に設けられた除染液注入管に取り付けられる取付け管と、この取付け管内に一端部が挿入され、他端部が前記除染対象配管内に挿入される複数本の除染液注入用細管と、前記取付け管内に前記複数本の注入用細管の一端部との間に形成された除染廃液吸引用戻り流路とを具備したことを特徴とする系統配管内の化学除染装置。
【請求項４】
除染対象配管内に配置される除染廃液吸引用配管と、この吸引用配管内に挿入され前記吸引用配管よりも細長い除染液注入用配管と、前記吸引用配管と前記注入用配管との二重管構造の間に形成される除染廃液吸引用戻り流路とを具備したことを特徴とする系統配管内の除染液循環用治具。
【発明の詳細な説明】
【０００１】
【発明の属する技術分野】
本発明は取外し等が困難な場所に設置されている配管、例えば原子力発電プラントなどの系統配管を設置されている状態のままで除染できるように構成した系統配管内の化学除染方法と装置及び除染液循環用治具に関する。
【０００２】
【従来の技術】
取外しが容易な配管を除染する場合には、その配管を取外して除染液を滲み込ませたブラシでこすったり、また除染液中に浸漬して除染することは容易である。配管が取外しできず固定されている場合には、その配管に除染液の循環ループを取付け、除染液を循環して除染を行っている。
【０００３】
従来の循環ループを取付けた一般的な系統配管内の化学除染方法及びその装置について図９により説明する。図９中、符号１は除染対象配管で、この除染対象配管１には除染対象外配管２がバルブ３を介して接続されている。除染対象配管１及び除染対象外配管２の端部にはそれぞれ止め弁４，５が接続されている。
【０００４】
除染対象配管１に除染液流入管６を分岐して接続し、この除染液流入管６に除染液流入用フランジ７を接続し、このフランジ７に循環配管８を接続している。循環配管８はポンプ９を介して除染液タンク10に接続している。除染液タンク10の上流側にフィルタ11を接続し、フィルタ11を流出配管12に接続し、流出配管12を除染廃液吸引用フランジ13を介し除染対象外配管２から分岐した除染廃液流出管14に接続している。
【０００５】
つぎに、上記除染液の循環ループを有する除染装置によって化学除染方法を説明する。すなわち、バルブ３を開き、止め弁４，５を閉じ、除染液を除染液タンク10からポンプ９により導き出し、循環配管８，除染液流入管６を通して除染対象配管１内に流入し、除染対象外配管２に取り付けた除染廃液流出管14を通して除染廃液を流出し、フィルタ11によりクラッド等を除去して純化した除染液とし除染液タンク10に戻して除染液を循環させ、除染対象配管１に接触する除染液を常に入れ替えている。
【０００６】
【発明が解決しようとする課題】
化学除染を効果的に行うためには、上述したように除染液を循環させ、除染対象配管１に接触する化学除染液を常に入れ替える必要がある。そのため、通常は除染対象となる配管に少くとも二箇所の穴を有する取合部を新たに設け、この取合部を使用して除染液の循環ループを取付け、除染液を循環して除染を行う。
【０００７】
また、除染対象の配管に取合部の穴が一箇所しかない場合には、除染液注入用と除染廃液吸引用の二種類のポンプを用意し、ポンプの切り替えをして配管内の除染液を上下させることで、除染対象配管と除染液の入れ替えを行っている。
【０００８】
しかしながら、除染対象配管に除染液注入用と除染廃液吸引用の少くとも二箇所の穴の取合部が必要なため、除染の必要な範囲を広げる等の措置が必要であり、除染範囲が広がれば、それだけ使用する除染液が多くなり、装置の規模を大きくする必要がある。
【０００９】
また、配管の穴を一箇所の取合部で除染する場合には除染中にフィルタを設置することができず、クラッドの除去等ができないだけでなく、配管径が太くなると除染液の上下動が遅くなり、除染効率が低下する。さらに、除染の穴の位置についても除染液の注入や最終的な除染液の除去が可能な箇所である必要があるため、除染できる場所が限定されるなどの課題がある。
【００１０】
本発明は上記課題を解決するためになされたもので、除染対象配管の一箇所の取合部から除染液の注入と除染廃液の吸引が同時にできるようにして、新たな取合部を設ける必要がなく、従来除染作業が困難であった配管についても効率的に化学除染できる系統配管内の化学除染方法と装置及び除染液循環用治具を提供することにある。
【００１１】
【課題を解決するための手段】
請求項１に係る発明は、除染対象配管に除染廃液の吸引部とこの吸引部内に挿入された除染液の注入部の二重管構造を有する除染用治具を取り付け、前記除染液を収納した除染液タンクから前記除染液を前記除染液の注入部を通して前記除染対象配管内に注入し、この注入された除染液により前記除染対象配管内を除染した後の除染廃液を前記除染廃液の吸引部から流出させることを特徴とする系統配管内の化学除染方法である。
【００１２】
請求項２に係る発明は、除染対象配管に取り付けられた除染廃液の吸引部とこの吸引部内に挿入された除染液の注入部の二重管構造を有する除染用治具と、前記除染液の注入部に循環配管およびポンプを介して接続された除染液タンクと、この除染液タンクと前記除染廃液の吸引部との間に流出配管を介して接続されたフィルタまたはイオン交換樹脂とを具備したことを特徴とする系統配管内の化学除染装置である。
【００１３】
請求項３に係る発明は請求項２に係る発明において、前記除染用治具は前記除染対象配管に設けられた除染液注入管に取り付けられる取付け管と、この取付け管内に一端部が挿入され、他端部が前記除染対象配管内に挿入される複数本の除染液注入用細管と、前記取付け管内に前記複数本の注入用細管の一端部との間に形成された除染廃液吸引用戻り流路とを具備したことを特徴とする。
【００１４】
請求項４に係る発明は、除染対象配管内に配置される除染廃液吸引用配管と、この吸引用配管内に挿入され前記吸引用配管よりも細長い除染液注入用配管と、前記吸引用配管と前記注入用配管との二重管構造の間に形成される除染廃液吸引用戻り流路とを具備したことを特徴とする系統配管内の除染液循環用治具である。
【００１５】
【発明の実施の形態】
図１から図３により本発明に係る系統配管内の化学除染方法と、その除染装置の実施の形態を説明する。
図１は本発明の実施の形態を説明するための配管系統図、図２は図１の除染液注入用配管部を拡大して示す縦断面図、図３（ａ）は図２の“Ａ”部を拡大して示す縦断面図、図３（ｂ）は図３（ａ）のＢ−Ｂ矢視断面図である。なお、図９と同一部分には同一符号を付している。
【００１６】
図１において、除染対象配管１の両端部にはバルブ３及び止め弁４が取り付けられて止じている。除染液流入管６には除染用治具15が取り付けられている。除染用治具15は除染液注入管６に接続する取付け管16を主体とし、この取付け管16内には二本の除染液注入用細管17，17の一端部、つまり下端部が挿入される。また、取付け管16内には二本の除染液注入用細管17，17との間に除染廃液吸引用戻り流路18が形成されている。二本の除染液注入用細管17，17の他端部、つまり上端部は除染対象配管１内に水平方向に沿って挿入されている。
【００１７】
このように除染用治具15は図２、図３（ａ），（ｂ）に示したように除染液注入管６に接続する取付け管16と、この取付け管16内に除染液の注入部となる除染液注入用細管17の端部および除染廃液の吸引部となる除染廃液吸引用戻り流路18を有し、除染液の注入部と除染廃液の吸引部の二種類の機能を同時に兼ね備えている。二本の除染液注入用細管17，17は除染対象配管１内の被除染個所に左右または上下に分かれて配置される。なお、二本の除染液注入用細管17，17の下端部は、図示していないが合流し、その合流個所が循環配管８に接続している。
【００１８】
図１に示す系統配管内の化学除染装置によりその除染方法を説明する。すなわち、除染液タンク10からポンプ９により除染液を循環配管８を通して除染用治具15に取り付けた左右一対の除染液注入用細管17，17に直接流入する。除染液注入用細管17，17から除染対象配管１内に除染液が注入されて除染対象配管１の内面を化学除染する。除染後の除染廃液は除染対象配管１から除染液注入配管６を流下し、取付け管16内の除染廃液吸引用戻り流路18から流出配管12を通ってフィルタ11に流入する。このフィルタ11で不純物が除去されたのち除染液タンク10に流入する。このようにして除染液は除染液タンク10、ポンプ９、循環配管８、除染廃液注入用細管17、除染廃液吸引用流路18、流出配管12およびフィルタ11の循環ループを循環する。
【００１９】
しかして、上記実施の形態によれば、従来の除染用循環ループよりも簡単に循環ループを組むことができ、除染廃液を流出するための新たな取合部を設ける作業を必要としない。すなわち、除染対象配管１に挿入した２本の除染液注入用細管17，17から除染液を注入し、その細管17を挿入する取付け管16から除染廃液を吸引するため、除染対象配管１内で除染液の循環が発生し、除染作業を効率的に行うことができる。
【００２０】
図４は図２におけるＡ部の他の例を示している。すなわち、除染対象配管１の除染液注入管６に除染治具15の取付け管16を取付けフランジ19により接続し、取付け管16に除染廃液吸引機構としての吸引管20を接続し、取付け管16の端部を端板フランジ21により閉塞し、端板フランジ21に除染液注入用細管17を二本固定した状態を示している。吸引管20は図１に示した流出配管12に接続する。端板フランジ21に二本の除染液注入用細管17に固定することにより確実に固定でき、かつ取付け操作が容易にできる。
【００２１】
図５は図２におけるＡ部のさらに他の例を示している。すなわち、除染液注入管６に配管固定用ゴム栓22を接続し、配管固定用ゴム栓22に除染液注入用細管17を二本固定し、除染廃液吸引用戻り流路18が形成されている状態を示している。配管固定用ゴム栓22は除染廃液吸引管23が接続されている。除染廃液吸引管23は図１に示す流出配管12に接続する。
【００２２】
この例によれば、除染液注入配管６にフレキシビリティのある配管固定用ゴム栓22により、挿入方向と異なる方向に配管を伸ばして挿入することができる。また、簡単に除染液注入管６に固定することができる。
【００２３】
つぎに図６（ａ），（ｂ）により本発明に係る系統配管内の除染液循環用治具の実施の形態を説明する。
図６（ａ）は本実施の形態の除染液循環用治具を除染液対象配管内に配置した状態を一部断面で示した側面図で、図６（ｂ）は図６（ａ）のＣ−Ｃ矢視断面図である。
【００２４】
この実施の形態は図６に示したように除染対象配管１内に配置する除染廃液吸引用配管24と、この除染廃液吸引用配管24内に挿入する該吸引用配管24よりも細長い除染液注入用配管25と、除染液吸引用配管24と除染液注入用配管25との間に形成された除染廃液吸引用戻り流路18とからなる二重管構造の除染液循環用治具27である。
【００２５】
この二重管構造の除染液循環用治具27は除染液注入用配管25から注入した除染液26が除染対象配管１内に溜り、溜った除染液26が除染対象配管１の内面を除染し、その除染廃液が除染廃液吸引用配管24を流れ、外部に流出する。すなわち、除染廃液吸引用配管24と除染液注入用配管25は図１で示したように流出配管12，フィルタ11，除染液タンク10，ポンプ９及び循環配管８に接続して循環ループが形成される。これにより除染対象配管１の広い範囲内に除染液を隅々まで万遍なく流し循環させることができる。
【００２６】
つぎに図７により図６に示した除染液循環用治具27についての第１の使用例を説明する。
図７においては、除染対象配管１と除染対象外配管２にはそれぞれ止め弁４，５が接続されており、除染対象外配管２には除染液注入管６が接続されている。この除染液注入管６を通し、除染液注入用配管25を挿入した除染廃液吸引用配管24からなる除染液循環用治具27を除染対象配管１内に配置する。
【００２７】
除染液注入用配管25の先端部は除染対象配管１の下部まで到達している。除染液注入用配管25から注入された除染液26は除染対象配管１内に貯留され、この配管１内を除染した後の除染廃液は除染廃液吸引用配管24から流出する。
【００２８】
この実施の形態によれば従来の除染ループよりも簡単にループを組むことができ、また除染対象外配管２から除染液循環用治具27を挿入するため、治具の材質をフレキシビリティのあるものとすることにより、任意の方向に挿入することができる。
【００２９】
また、除染対象外配管２には除染液26を接触させないので、除染対象配管１のみを除染する場合に最適な方法である。除染対象の部位まで除染廃液吸引用配管24及び除染液注入用配管25を伸ばし、二重配管で除染液の注入及び除染廃液の吸引を行って除染液を循環させる。
【００３０】
なお、除染廃液吸引用配管24と除染液注入用配管25の二重配管の固定方法は二本除染液注入用細管17の場合と同様に図４のフランジ型または図５のゴム栓型を使用することができる。
【００３１】
除染液の循環は外部に取り付けたポンプ９によって行い、フィルタ11またはイオン交換樹脂を循環ループに設けることにより、除染液の除染効果を低下させることなく実施することができる。
【００３２】
つぎに図８により図６の除染液循環用治具27の第２の使用例を説明する。
図８中符号28は除染対象配管１に接続されていた既設ポンプの弁体解体後の状態を示している。例えば原子力発電所内の定期検査で、取外し困難な既設配管に接続したポンプの弁体を解体した場合、その解体した穴から除染液循環用治具27を挿入して除染対象配管１の内面を除染する。
【００３３】
これにより取外し困難な既設配管を設置した状態のままの除染対象配管１に除染液注入用配管や除染廃液吸引用配管を挿入する別に穴の取合部を設ける必要がなく除染することができる。なお、除染液の循環方法は、図１及び図７で説明した方法に準じて行えばよい。
【００３４】
【発明の効果】
本発明によれば、従来の除染ループよりも簡単に除染ループを組むことができ、新たな取合部を設けることなく除染対象となる配管の１箇所に取合部を設け、その取合部から除染液を注入し、かつ除染廃液を吸引して循環することができるので、除染作業が困難であった配管についても効率的な化学除染が可能となる。
【図面の簡単な説明】
【図１】本発明に係る系統配管内の化学除染方法と装置の実施の形態を説明するための配管系統図。
【図２】図１における除染液注入用配管部近傍を拡大して示す縦断面図。
【図３】（ａ）は図２における“Ａ”部を拡大して示す縦断面図、（ｂ）は（ａ）のＢ−Ｂ矢視方向を切断し拡大して示す縦断面図。
【図４】図２における“Ａ”部を拡大した他の例を示す縦断面図。
【図５】図２における“Ａ”部を拡大したさらに他の例を一部側面で示す縦断面図。
【図６】（ａ）は本発明に係る系統配管内の除染液循環用治具の実施の形態を示す縦断面図、（ｂ）は（ａ）のＣ−Ｃ矢視方向を切断し拡大して示す縦断面図。
【図７】図６における除染液循環用治具の第１の使用例を概略的に示す縦断面図。
【図８】図６における除染液循環用治具の第２の使用例を概略的に示す配管系統図。
【図９】従来の系統配管内の化学除染方法と装置を説明するための配管系統図。
【符号の説明】
１…除染対象配管、２…除染対象外配管、３…バルブ、４，５…止め弁、６…除染液流入管、７…除染液流入用フランジ、８…循環配管、９…ポンプ、10…除染液タンク、11…フィルタ、12…流出配管、13…除染廃液流出用フランジ、14…除染廃液流出管、15…除染用治具、16…取付け管、17…除染液注入用細管、18…除染廃液吸引用戻り流路、19…取付けフランジ、20…吸引管、21…端板フランジ、22…配管固定用ゴム栓、23…除染廃液吸引管、24…除染廃液吸引用配管、25…除染液注入用配管、26…除染液、27…除染液循環用治具、28…既設ポンプの弁体解体後の状態。
【図１】
0003720886.tif 000002
【図２】
0003720886.tif 000003
【図３】
0003720886.tif 000004
【図４】
0003720886.tif 000005
【図５】
0003720886.tif 000006
【図６】
0003720886.tif 000007
【図７】
0003720886.tif 000008
【図８】
0003720886.tif 000009
【図９】
0003720886.tif 000010